(57)【要約】【課題】ネットワーク機能を生かし、録画番組の視聴時にユーザが活用できる情報を提供することで付加価値を向上させた録画再生装置を提供することである。【解決手段】ネットワーク機能を有する録画再生装置１０は、所定チャンネルの所定番組を録画する場合、ネットワーク上で複数のユーザによって書き込まれた各チャンネルに関する情報群であるそれぞれのクラスタにアクセスし、全クラスタにおける前記所定番組の放送時間内の所定時間の書き込み件数に対する前記所定チャンネルに関するクラスタにおける前記所定番組の放送時間内の所定時間の書き込み件数の割合を算出し、これを前記所定番組の注目度とし、録画された前記所定番組に対応させて前記所定番組の注目度を記録する構成とする。【選択図】図１
2012134840.tif 000002
【特許請求の範囲】
【請求項１】
ネットワーク機能を有する録画再生装置において、
所定チャンネルの所定番組を録画する場合、
ネットワーク上で複数のユーザによって書き込まれた各チャンネルに関する情報群であるそれぞれのクラスタにアクセスし、全クラスタにおける前記所定番組の放送時間内の所定時間の書き込み件数に対する前記所定チャンネルに関するクラスタにおける前記所定番組の放送時間内の所定時間の書き込み件数の割合を算出し、これを前記所定番組の注目度とし、
録画された前記所定番組に対応させて前記所定番組の注目度を記録することを特徴とする録画再生装置。
【請求項２】
前記所定番組の注目度を、前記所定番組の放送時間に亘って複数算出し、録画された前記所定番組の時間軸に対応させて記録することを特徴とする請求項１記載の録画再生装置。
【請求項３】
前記所定番組の注目度を時間軸に対してグラフ化し、前記所定番組の再生時に該グラフを表示させることを特徴とする請求項２記載の録画再生装置。
【請求項４】
前記所定番組の注目度が第１閾値以上となる時間の始点に対応した前記所定番組部分にチャプターの始点を付けることを特徴とする請求項２又は３記載の録画再生装置。
【請求項５】
各チャプターの始点の前後一定時間の録画内容を繋ぎ合わせて再生することを特徴とする請求項４記載の録画再生装置。
【請求項６】
前記所定番組の注目度の１つが第２閾値以下の場合、録画した前記所定番組を消去する、又は前記所定番組の注目度の平均値が第２閾値以下の場合、録画した前記所定番組を消去することを特徴とする請求項１〜４の何れかに記載の録画再生装置。
【請求項７】
録画されている番組名と前記注目度とを対応させて一覧表示させることを特徴とする請求項１〜６の何れかに記載の録画再生装置。
【請求項８】
前記全クラスタにおける前記所定番組の放送時間内の所定時間の書き込み件数は、各クラスタの所定時間の書き込み内容をそれぞれ各チャンネルにおける現在放送中の番組の番組情報と比較し、合致する語句が含まれた書き込みの件数であり、
前記所定チャンネルに関するクラスタにおける前記所定番組の放送時間内の所定時間の書き込み件数は、所定時間の書き込み内容を該所定チャンネルにおける現在放送中の番組の番組情報と比較し、合致する語句が含まれた書き込みの件数であることを特徴とする請求項１〜７の何れかに記載の録画再生装置。
【発明の詳細な説明】
【技術分野】
【０００１】
本発明は、ネットワーク機能を有する録画再生装置に関する。
【背景技術】
【０００２】
従来のテレビ放送の番組視聴率調査は、予め複数の調査対象者を選び、同じ時間にそれぞれの調査対象者が選局しているチャンネルを調べることによって行われている。このような調査の後、そのチャンネルを選局している調査対象者（視聴者）の調査対象者全体における割合を求め、番組の視聴率としている。
【０００３】
視聴率は、番組の注目度（人気度）を判断する上で重要な資料であり、視聴者側にとってもどの番組が面白そうであるかを判断する材料となる。しかし、このような視聴率調査の結果は番組が放送されてから数日後に発表されるため、視聴者がその情報をすぐに活用することはできない。例えば、録画した番組を録画直後に見る場合に視聴者はその番組の視聴率を知ることができないので、その番組が面白そうであるか判断する材料がない。そこで、現在放送中又は放送直後の番組の注目度を判断する材料を提供する技術が種々提案されており、その注目度と録画番組とを連動させる技術も提案されている。
【０００４】
例えば特許文献１には、送信される番組の内容を録画又は録音する工程と、前記録画又は録音された番組を当該番組の視聴率の大きさに応じた速度で再生可能に編集し又は再生する工程とを含む番組の編集再生方法が開示されている。
【０００５】
また特許文献２には、送信される番組を録画又は録音する工程と、前記録画又は録音された番組を構成する複数の場面の視聴を、当該場面の視聴率の大きさに応じた重み付けで推奨する工程とを含む番組推奨システムが開示されている。
【０００６】
また特許文献３には、インターネット網を介して外部の視聴率データＤＢから、録画番組の視聴率データを取得し、最高視聴率更にはピークとなった時刻を抽出し、録画ファイル記憶部にアクセスし、抽出した時刻情報の映像データを抽出してサムネイル画像データを作成し、録画番組情報記憶部のタイトル情報と関連付けて記憶させ、これにより、タイトル情報とともにサムネイル画像を表示させることができるようにした記録再生装置が開示されている。
【０００７】
また特許文献４には、サーバにアクセスして得られた番組に関する情報に基づいて、当該番組に対する番組名と視聴率と興味時刻と再生時間と興味内容とがプレイリストに加えられ、ハードディスクに記録され、再生操作がされると、ハードディスクからプレイリストが読み出されディスプレイ装置に表示され、この表示されたプレイリストには、番組名、視聴率、興味時刻、再生時間、興味内容が示されるハードディスク装置が開示されている。
【先行技術文献】
【特許文献】
【０００８】
【特許文献１】特開２００６−５４６３１号公報
【特許文献２】特開２００６−５４６３０号公報
【特許文献３】特開２００４−３２６９７１号公報
【特許文献４】特開２００７−２８８３９１号公報
【発明の概要】
【発明が解決しようとする課題】
【０００９】
上記のように、現在放送中又は放送直後の番組の注目度を判断する材料を提供する技術は色々なものが提案されているが、現在特定の技術が普及しているという訳ではなく、さらなる改良や新たな技術が誕生する余地がある。また、その注目度と録画番組とをどのように連動させるかも色々考えることができる。
【００１０】
本発明は、ネットワーク機能を生かし、録画番組の視聴時にユーザが活用できる情報を提供することで付加価値を向上させた録画再生装置を提供することを目的とする。
【課題を解決するための手段】
【００１１】
上記目的を達成するために本発明は、ネットワーク機能を有する録画再生装置において、所定チャンネルの所定番組を録画する場合、ネットワーク上で複数のユーザによって書き込まれた各チャンネルに関する情報群であるそれぞれのクラスタにアクセスし、全クラスタにおける前記所定番組の放送時間内の所定時間の書き込み件数に対する前記所定チャンネルに関するクラスタにおける前記所定番組の放送時間内の所定時間の書き込み件数の割合を算出し、これを前記所定番組の注目度とし、録画された前記所定番組に対応させて前記所定番組の注目度を記録することを特徴とする。
【００１２】
上記の録画再生装置において、前記所定番組の注目度を、前記所定番組の放送時間に亘って複数算出し、録画された前記所定番組の時間軸に対応させて記録することが好ましい。
【００１３】
また上記の録画再生装置において、前記所定番組の注目度を時間軸に対してグラフ化し、前記所定番組の再生時に該グラフを表示させることが好ましい。
【００１４】
また上記の録画再生装置において、前記所定番組の注目度が第１閾値以上となる時間の始点に対応した前記所定番組部分にチャプターの始点を付けてもよい。
【００１５】
また上記の録画再生装置において、各チャプターの始点の前後一定時間の録画内容を繋ぎ合わせて再生するようにしてもよい。
【００１６】
また上記の録画再生装置において、前記所定番組の注目度の１つが第２閾値以下の場合、録画した前記所定番組を消去する、又は前記所定番組の注目度の平均値が第２閾値以下の場合、録画した前記所定番組を消去するようにしてもよい。
【００１７】
また上記の録画再生装置において、録画されている番組名と前記注目度とを対応させて一覧表示させるようにしてもよい。
【００１８】
また上記の録画再生装置において、前記全クラスタにおける前記所定番組の放送時間内の所定時間の書き込み件数は、各クラスタの所定時間の書き込み内容をそれぞれ各チャンネルにおける現在放送中の番組の番組情報と比較し、合致する語句が含まれた書き込みの件数であり、前記所定チャンネルに関するクラスタにおける前記所定番組の放送時間内の所定時間の書き込み件数は、所定時間の書き込み内容を該所定チャンネルにおける現在放送中の番組の番組情報と比較し、合致する語句が含まれた書き込みの件数であるとしてもよい。
【発明の効果】
【００１９】
本発明によると、ネットワークの情報を活用して録画番組の注目度をユーザに提供することで、ユーザは注目度を参考にして視聴することができる。注目度は複数人の心情を反映させたものであるので、ユーザにとって有用な情報となり、録画再生装置の付加価値を向上させることができる。
【図面の簡単な説明】
【００２０】
【図１】本発明の光ディスク装置の構成及びその周辺機器を示すブロック図である。
【図２】本発明の光ディスク装置における注目度の算出に関する動作を示すフローチャートである。
【図３】本発明の電子番組表の画面の一例である。
【図４】本発明のＯＳＤ表示した画面の一例である。
【図５】本発明の光ディスク装置における注目度の算出に関する動作の他の例を示すフローチャートである。
【図６】本発明の光ディスク装置の録画動作を示すフローチャートである。
【図７】本発明の所定番組の再生時に注目度のグラフを表示させた画面の一例である。
【図８】本発明の所定番組のチャプターのサムネイル画像一覧の画面の一例である。
【図９】本発明の録画リストの画面の一例である。
【発明を実施するための形態】
【００２１】
以下、本発明の録画再生装置の一例として、デジタルテレビ放送を受信して録画できるハードディスクドライブ（ＨＤＤ）一体型の光ディスク装置を用いて説明する。
【００２２】
図１は、光ディスク装置１０の構成及びその周辺機器を示すブロック図である。光ディスク装置１０には、テレビ等の表示装置１１と、ネットワーク１２とが接続されている。以下では、ネットワーク１２はインターネットであるとして説明する。また光ディスク装置１０は、リモコン１３によって操作可能である。
【００２３】
光ディスク装置１０は、アンテナ１４で受信したデジタルテレビ放送信号を復調、デジタル化するチューナ１６と、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、ＥＰＧ（電子番組表）やＥＰＧの一部に後述する注目度を入れたものや後述する注目度そのものを表示装置１１に表示させたり、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置１１へ出力する音声出力部２２と、ＲＯＭやＲＡＭからなるメモリ２３と、リモコン１３からの信号を受信するリモコン受信部２４と、ネットワーク１２との接続を行う通信部２５と、光ディスク装置１０の各部を制御する制御部２６とを備えている。
【００２４】
また、制御部２６は、所定チャンネルの所定番組を録画する場合、ネットワーク上で複数のユーザによって書き込まれた各チャンネルに関する情報群であるそれぞれのクラスタにアクセスし、全クラスタにおける所定番組の放送時間内の所定時間の書き込み件数に対する所定チャンネルに関するクラスタにおける所定番組の放送時間内の所定時間の書き込み件数の割合を算出し、これを所定番組の注目度とし、録画された所定番組に対応させて所定番組の注目度を記録するという一連の制御も行う。以下に、この制御について詳しく説明する。
【００２５】
クラスタとは、ここではネットワーク上で複数のユーザによって書き込まれた各チャンネルに関する情報群を指すものとし、具体的には、ＳＮＳ（Social Networking Service）であれば、チャンネル（放送局）毎の掲示板、Twitterであれば、＃（ハッシュタグ）付き放送局名（#Fuji、#TBS、＃NHKなど）を含む書き込み群などである。
【００２６】
図２は、光ディスク装置１０における注目度の算出に関する動作を示すフローチャートである。光ディスク装置１０の電源がオンの状態で、ステップＳ１０において通信部２５はインターネットに接続し、予め登録された複数のクラスタにアクセスする。なお、アクセスしたクラスタの画面は表示装置１１には表示させない。
【００２７】
ここで、予め登録された複数のクラスタは、例えば、特定のＳＮＳのチャンネル毎の掲示板のそれぞれのアドレスであったり、Twitterで＃付き放送局名を検索した結果であったりする。Twitterにおいて予め登録されたクラスタにアクセスするには、Twitterの検索ページのアドレスにアクセスした後、予め登録された＃付き放送局名で検索することで＃付き放送局名を含む書き込み群が得られる。
【００２８】
なお、予め登録された複数のクラスタは、メーカー側で製造時に登録されたものでも、ユーザが任意に登録したものでもよい。例えば、Twitterのクラスタの場合、製造時には＃Fujiと登録されているクラスタをユーザが設定画面等から＃FujiTVなどに変更できるようにしてもよい。また、ＳＮＳのクラスタの場合、製造時にはYahooのチャンネル毎の掲示板が登録されているのをユーザが設定画面等からgooのチャンネル毎の掲示板などに変更できるようにしてもよい。
【００２９】
また、予め登録された複数のクラスタは、本光ディスク装置１０で受信可能な全チャンネルとすることが好ましい。例えば、光ディスク装置１０が地上デジタル放送とＢＳデジタル放送とを受信できる場合、地上デジタル放送及びＢＳデジタル放送の各チャンネルに対応したクラスタを登録しておく。
【００３０】
次に、ステップＳ１０からステップＳ１１へ進んで各クラスタの書き込み件数を取得する。取得した情報はメモリ２３又はＨＤＤ等に記憶する。メモリ２３に記憶する場合はＥＥＰＲＯＭ等に記憶すればよい。取得する書き込みの期間としては、現在を終期とする期間であれば始期はいつでもよい。例えば、ＳＮＳの掲示板の場合、少なくとも現在の書き込み番号を取得すればよい。また、Twitterの場合、＃付き放送局名で検索した結果得られる件数を取得すればよい。
【００３１】
次に、ステップＳ１１からステップＳ１２へ進んで、制御部２６はステップＳ１１で書き込み件数を取得した時間から所定時間（例えば１分）経過したか否かを判別する。ステップＳ１２で所定時間経過したと判別すると、ステップＳ１３へ進んで通信部２５は上記複数のクラスタへのアクセスを更新し、ステップＳ１４へ進んで更新後の各クラスタの書き込み件数を取得する。取得した情報は先程と同様にメモリ２３又はＨＤＤ等に記憶する。
【００３２】
なお、上記の所定時間は、所定チャンネルにおける現在放送中の番組の放送時間内の一定時間であればよく、例えば、番組の開始直後であっても、中盤であっても、後半であっても、数秒〜数分間の時間を取ることができればよい。
【００３３】
次に、ステップＳ１４からステップＳ１５へ進んで、各クラスタにおいて更新前後の書き込み件数の差分を算出する。つまり、各クラスタにおける所定時間の間の書き込み件数を算出する。
【００３４】
次に、ステップＳ１５からステップＳ１６へ進んで各クラスタにおける所定時間の書き込み件数を合算して全クラスタにおける所定時間の書き込み件数を算出する。
【００３５】
次に、ステップＳ１６からステップＳ１７へ進んで分母をステップＳ１６で求めた全クラスタにおける所定時間の書き込み件数とし、分子をステップＳ１５で求めた各クラスタにおける書き込み件数のうち、何れかの所定のクラスタにおける書き込み件数とし、所定のクラスタの書き込み件数の割合を算出する。そして、この割合を所定のクラスタに対応するチャンネルの現在放送中の番組の注目度（人気度）とする。
【００３６】
ここでいう注目度とは、インターネットでの書き込み件数に基づいた仮想的な視聴率のようなものであり、そのクラスタの所定時間の書き込み件数が多いほどそのクラスタに対応するチャンネルの現在放送中の番組の注目度が高くなる。ステップＳ１７の処理は各クラスタについてそれぞれ行い、各チャンネルの注目度を求める。
【００３７】
例えば、クラスタとしてＳＮＳの掲示板を用いる場合、ステップＳ１７で分母をＮＨＫ、ＴＢＳ・・・ＢＳ１、ＢＳ２・・・という各チャンネルの掲示板における所定時間の書き込み件数の合算とし、分子をＮＨＫの掲示板における所定時間の書き込み件数とすれば、地上デジタル放送及びＢＳデジタル放送の中での地上デジタル放送のＮＨＫの注目度を求めることができる。また、クラスタとしてTwitterの＃付き放送局名の検索結果を用いる場合、ステップＳ１７で分母を＃ＮＨＫ、＃ＴＢＳ・・・＃ＢＳ１、＃ＢＳ２・・・でそれぞれ検索した結果得られた所定時間の書き込み件数の合算とし、分子を＃ＮＨＫで検索した結果得られた所定時間の書き込み件数とすれば、地上デジタル放送及びＢＳデジタル放送の中での地上デジタル放送のＮＨＫの注目度を求めることができる。
【００３８】
次に、ステップＳ１７からステップＳ１８へ進んで注目度を更新する時間か否かを判別する。この判別は、前回クラスタへアクセスした時間から一定時間（例えば１０分）経過した場合や予め設定された時刻（例えば毎時０、１０、２０、３０、４０、５０分）になった場合などとすればよい。そして、ステップＳ１８において注目度を更新する時間になったと判別した場合、ステップＳ１０に戻り、新たに各チャンネルの注目度の算出を開始する。
【００３９】
このようにして算出された注目度は、リモコン１３からの指示に応じて、表示装置１１の電子番組表の一部に表示されたり、表示装置１１で番組視聴中にＯＳＤ表示されたりする。図３は、電子番組表の画面の一例である。画面３０は、例えば、リモコン１３の番組表キー（不図示）が操作された場合に表示される。画面３０では、１８：００〜１９：００の欄が現在放送中の番組であり、現在放送中の各チャンネルの欄に番組名とその番組の注目度とが表示されている。一方、１９：００以降の番組表には放送予定の番組名は表示されているが、その番組の注目度はまだ表示されていない。そして、リモコン１３の下方向の矢印キー（不図示）などが操作されると、次ページのチャンネル表示に切り替わる。
【００４０】
図４は、ＯＳＤ表示した画面の一例である。画面４０は、視聴中の番組の下部に注目度一覧４１をＯＳＤ表示した画面である。注目度一覧４１は、例えば、番組視聴中にリモコン１３の注目度キー（不図示）が操作された場合に表示される。注目度一覧４１では、現在放送中の各チャンネルの欄に番組名とその番組の注目度とが表示されている。そして、リモコン１３の右方向の矢印キー（不図示）などが操作されると、次ページのチャンネル表示に切り替わる。
【００４１】
注目度の表示は、図３や図４以外の表示形態でもよく、例えば、ＯＳＤ表示で注目度の高い順に１０番目までを順位を付けてチャンネルと番組名と注目度とを表示してもよい。
【００４２】
このように、インターネットの情報を活用して現在放送中の各番組の注目度を視聴中のユーザに提供することで、ユーザは注目度を参考にして視聴するチャンネルを選択することができる。注目度は複数人の心情を反映させたものであるので、ユーザにとって有用な情報となり、録画再生装置の付加価値を向上させることができる。
【００４３】
次に、注目度の他の算出方法について説明する。図５は、光ディスク装置１０における注目度の算出に関する動作の他の例を示すフローチャートである。ステップＳ２０〜ステップＳ２５までは図２のステップＳ１０〜ステップＳ１５と同様の処理であるので説明を省略する。
【００４４】
ステップＳ２５からはステップＳ２６へ進んで、書き込み件数に基づいて、各クラスタから所定時間の書き込み内容を取得する。書き込み内容はテキスト情報として取得できる。
【００４５】
次に、ステップＳ２６からステップＳ２７へ進んで、各クラスタの所定時間の書き込み内容をそれぞれ各チャンネルにおける現在放送中の番組の番組情報と比較し、合致する語句が含まれた書き込みの件数をクラスタ毎に算出する。各番組の番組情報はＥＰＧ情報に含まれるものを利用することができる。
【００４６】
次に、ステップＳ２７からステップＳ２８へ進んで分母をステップＳ２７で求めたクラスタ毎の書き込み件数を全クラスタについて合算した件数とし、分子をステップＳ２７で求めたクラスタ毎の書き込み件数のうち、何れかの所定のクラスタにおける書き込み件数とし、所定のクラスタの書き込み件数の割合を算出する。そして、この割合を所定のクラスタに対応するチャンネルの現在放送中の番組の注目度（人気度）とする。
【００４７】
例えば、あるクラスタの所定時間の書き込みの１つに、例えば「今日のニュースを見ています。」という内容のものがあった場合、「今日のニュース」という語句が図３の現在放送中の番組名と合致するので、この書き込みをそのクラスタの書き込み件数に加算する。
【００４８】
次に、ステップＳ２８からステップＳ２９へ進んで注目度を更新する時間か否かを判別する。この判別は、図２のステップＳ１８と同様である。そして、ステップＳ２９において注目度を更新する時間になったと判別した場合、ステップＳ２０に戻り、新たに各チャンネルの注目度の算出を開始する。
【００４９】
このようにして算出された注目度は、リモコン１３からの指示に応じて、表示装置１１の電子番組表の一部に表示されたり（図３参照）、表示装置１１で番組視聴中にＯＳＤ表示されたりする（図４参照）。
【００５０】
このように、注目度を算出するための書き込み件数として、各クラスタの所定時間の書き込み内容をそれぞれ各チャンネルにおける現在放送中の番組の番組情報と比較し、合致する語句が含まれた書き込みの件数を用いることにより、注目度の精度が高くなる。
【００５１】
なお、各クラスタの所定時間の書き込み件数は、上記の実施形態では光ディスク装置１０内で差分を算出することで計算しているが、各クラスタを管理しているサーバから各クラスタの所定時間の書き込み件数を提供してもらうようにしてもよい。
【００５２】
なお、上記の実施形態では光ディスク装置１０の電源がオン状態のときに注目度を算出しているが、スタンバイ状態のときに定期的に注目度を算出しておき、光ディスク装置１０の電源がオンになるとすぐに注目度を表示できる状態にしておいてもよい。
【００５３】
なお、上記の実施形態では地上デジタル放送及びＢＳデジタル放送の全チャンネルのクラスタを分母として各チャンネルの注目度を算出しているが、分母は分子のチャンネルと同じ放送波のみとしても構わない。例えば、ＴＢＳの注目度を算出する場合、分母は地上デジタル放送の各チャンネルのクラスタの所定時間の書き込み件数の合算としてもよい。
【００５４】
また、分母を地上デジタル放送、ＢＳデジタル放送及びＣＳデジタル放送の全チャンネルのクラスタとし、分子を地上デジタル放送の各チャンネルのクラスタの所定時間の書き込み件数の合算、ＢＳデジタル放送の各チャンネルのクラスタの所定時間の書き込み件数の合算又はＣＳデジタル放送の各チャンネルのクラスタの所定時間の書き込み件数の合算とすれば、それぞれ全放送波に対する、地上デジタル放送全体の注目度、ＢＳデジタル放送全体の注目度又はＣＳデジタル放送全体の注目度となる。
【００５５】
この場合、注目度の表示が指示されると、最初に放送波毎の注目度を表示し、次に何れかの放送波が選択されると、その選択された放送波の各チャンネルの注目度を表示するように、すなわち階層的に表示してもよい。
【００５６】
なお、上記の実施形態では注目度を％で表しているが、他の表示形態でもよく、例えば、算出された注目度の値を予め決められた数段階のレベルに変換して表示してもよい。また、注目度を表示する際、１０％以上であれば赤色で、１〜１０％であれば黄色で、１％未満であれば青色で表示する等、値に応じて表示の仕方を変えてもよい。
【００５７】
次に、注目度と録画との関係について説明する。図６は、光ディスク装置１０の録画動作を示すフローチャートである。
【００５８】
まず、ステップＳ３０で録画を開始したか否かを判別する。録画は予約録画の場合でも現時点から録画する場合でもどちらでもよい。予約録画の場合は録画を開始したかどうかは予約時刻から判断することもできる。そして、所定チャンネルの所定番組の録画を開始した場合、遅滞なくステップＳ３０からステップＳ３１へ進んで録画中の該所定番組の注目度を算出する。注目度は図２又は図５の処理によって算出する。
【００５９】
例えば、該所定番組の注目度の算出に図２の処理を適用した場合、分母を全クラスタにおける所定番組の放送時間内の所定時間の書き込み件数とし、分子を所定チャンネルに関するクラスタにおける所定番組の放送時間内の所定時間の書き込み件数として算出する。つまり、所定番組の注目度は、録画中にクラスタにアクセスした結果から算出する。
【００６０】
また、図５の処理を適用した場合、前記全クラスタにおける前記所定番組の放送時間内の所定時間の書き込み件数は、各クラスタの所定時間の書き込み内容をそれぞれ各チャンネルにおける現在放送中の番組の番組情報と比較し、合致する語句が含まれた書き込みの件数とし、前記所定チャンネルに関するクラスタにおける前記所定番組の放送時間内の所定時間の書き込み件数は、所定時間の書き込み内容を該所定チャンネルにおける現在放送中の番組の番組情報と比較し、合致する語句が含まれた書き込みの件数とする。
【００６１】
次に、ステップＳ３１からステップＳ３２へ進んで、算出した該所定番組の注目度と該所定チャンネルのクラスタにアクセスした時刻とを録画中の該所定番組に関連付けてメモリ２３又はＨＤＤ等に記憶する。例えば、所定チャンネルのクラスタにアクセスした時刻が２１：００及び２１：０１で注目度が１２％などとなる。
【００６２】
次に、ステップＳ３２からステップＳ３３へ進んで該所定番組の録画が終了したか否かを判別する。予約録画の場合は録画が終了したかどうかは予約時刻から判断することもできる。ステップＳ３３において録画が終了していない、つまり録画中であると判別した場合、ステップＳ３１に戻って該所定番組の注目度を算出する。すなわち、録画開始から録画終了までは一定時間間隔（例えば１分間隔）で、図２のステップＳ１８からステップＳ１０に戻って又は図５のステップＳ２９からステップＳ２０に戻って、該所定番組の注目度を算出し、ステップＳ３２で記憶することを繰り返す。
【００６３】
これにより、録画が終了した時点では、録画した番組に関連付けて録画開始から録画終了まで一定時間間隔で算出した該番組の注目度がその時刻とともに記憶される。このように、所定番組の注目度は、所定番組の放送時間に亘って複数算出され、録画された所定番組の時間軸に対応させて記録されることによって、録画した番組の放送時間中の注目度の変化を知る目安として利用できる。
【００６４】
次に、注目度と録画した番組の再生との関係について説明する。上述のようにして所定番組及びその注目度が記録されている場合、所定番組（以下、録画番組と記すことがある）の再生を開始すると、表示装置１１に録画番組を表示するとともに該録画番組の注目度を時間軸に対してグラフ化した画像をＯＳＤ表示する。グラフ化は予め録画直後に行っておけばよい。
【００６５】
図７は、所定番組の再生時に注目度のグラフを表示させた画面の一例である。画面５０には、再生されている番組の画像が表示され、画面５０の下部に再生シークバー５１と注目度のグラフ５２とがＯＳＤ表示されている。再生シークバー５１は、再生中の番組の録画時間を横棒で示し、現在どの時間辺りを再生しているかの再生位置を三角形のマーク５１ａで示している。マーク５１ａは再生が進むにつれて画面５０の左から右へ進む。グラフ５２は、横軸が再生中の番組の録画時間であり、縦軸が該番組の注目度である。再生シークバー５１の横棒とグラフ５２の横軸とは同じスケールで表された時間軸である。したがって、マーク５１ａの位置に対応するグラフ５２の注目度が、現在の再生位置の注目度となる。
【００６６】
これにより、ユーザは番組の再生中に、現在再生されているシーンの注目度を知ることができる。またユーザは、リモコン１３の早送りキー等を操作してグラフ５２の注目度の高い箇所に再生シークバー５１ａを移動させることで、注目度の高い箇所を素早く視聴できる。また、リモコン１３に再生中に押下すると次の注目度の高い箇所（例えば１０％以上）にスキップする特殊キーを設けてもよい。
【００６７】
このように、インターネットの情報を活用して録画番組の注目度をユーザに提供することで、ユーザは注目度を参考にして視聴することができる。注目度は複数人の心情を反映させたものであるので、ユーザにとって有用な情報となり、録画再生装置の付加価値を向上させることができる。
【００６８】
また、録画番組のチャプターに注目度を活用することもできる。具体的には、録画番組の注目度が第１閾値以上となる時間の始点に対応した録画番組部分に自動的にチャプターの始点を付けるようにする。第１閾値としては、数個のチャプターが生成されるくらいの値が好ましく、例えば、１０％以上とすることができる。そして、該録画番組のチャプターの始点のサムネイル画像を一覧で表示できるようにする。図８は、所定番組のチャプターのサムネイル画像一覧の画面の一例である。画面６０では、各チャプターの始点のサムネイル画像６１〜６５の下にそれに対応するチャプター番号とその画像付近の注目度とが表示されている。これにより、ユーザは所望のチャプターから視聴できる。
【００６９】
また、特殊再生機能として、各チャプターの始点の前後一定時間の録画内容を繋ぎ合わせて再生する機能を備えてもよい。一定時間としては、例えば、各チャプターの始点の直前の１０秒と直後の１０秒とすることができる。これにより、ユーザはその番組の注目度の高い箇所付近だけを続けて視聴でき、短時間で視聴したいときに便利である。
【００７０】
また、自動消去機能として、録画番組の注目度の１つが第２閾値以下の場合、該録画番組を自動で消去する機能を備えてもよい。また、自動消去機能は、録画番組の注目度の平均値が第２閾値以下の場合、該録画番組を自動で消去する機能であってもよい。この機能はユーザが使用するかしないかを設定できることが望ましい。第２閾値としては、あまり注目されていない番組であると判定できる値とすることが好ましく、例えば３％未満とすることができる。第２閾値もユーザが任意に設定できることが望ましい。
【００７１】
また、ＨＤＤ等に録画されている番組の一覧である録画リストに注目度を表示してもよい。図９に、録画リストの画面の一例を示す。画面７０では、録画されている番組名とその注目度とが対応させられて一覧表示されている。なお、録画リストが表示されている状態でリモコン１３の所定キーが操作されると注目度の降順に並べ替えて表示するようにしてもよい。
【００７２】
なお本発明において、録画した番組自体の注目度は、その番組に対して複数算出した注目度の平均値とすればよい。
【産業上の利用可能性】
【００７３】
本発明は、ＨＤＤレコーダ、ＤＶＤレコーダ、ＢＤレコーダ、それらの複合機などの録画再生装置であって、ネットワーク機能を備えたものに利用することができる。
【符号の説明】
【００７４】
１０  光ディスク装置（録画再生装置）
１１  表示装置
１２  ネットワーク
１３  リモコン
１４  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  通信部
２６  制御部
【図１】
2012134840.tif 000003
【図２】
2012134840.tif 000004
【図３】
2012134840.tif 000005
【図９】
2012134840.tif 000006
【図４】
2012134840.tif 000007
【図５】
2012134840.tif 000008
【図６】
2012134840.tif 000009
【図７】
2012134840.tif 000010
【図８】
2012134840.tif 000011